(57)【要約】【課題】写真情報を中心として、自己の生い立ちや経歴、趣味等の個人情報を記録したり、ある一定期間に発生した出来事や事件等を年代順あるいはテーマ毎に纏めて簡単に記録できる情報記録用紙を提供する。【解決手段】用紙１に写真等の画像情報を添付あるいは表示する画像情報欄３と、前記画像情報と関連する情報の記述を容易にするためのキーワード、アイテム等が記載されたコード欄４と、該コード欄４に記載されたキーワード、アイテム等に基づいて前記画像情報と関連する出来事や事件等を記述する記述欄５が設けられている。【選択図】      図１
2004358938.tif 000002
【特許請求の範囲】
【請求項１】
写真等の画像情報を添付あるいは表示する画像情報欄（３）と、前記画像情報と関連する情報の記述を容易にするためのキーワード、アイテム等が記載されたコード欄（４）と、該コード欄（４）に記載されたキーワード、アイテム等に基づいて前記画像情報と関連する出来事や事件等を記述する記述欄（５）が設けられていることを特徴とする情報記録用紙。
【請求項２】
前記記述欄（５）には、氏名、住所、事件の発生年月日等の確定情報を記録する記載欄（５１）が設けられていることを特徴とする請求項１記載の情報記録用紙。
【発明の詳細な説明】
【０００１】
【発明の属する技術分野】
本発明は、写真情報を中心として、自分の生い立ちや経歴、趣味等の個人情報を記録したり、ある一定期間に発生した出来事や事件等を年代順あるいはテーマ毎に纏めて記録する際に好適に使用できる情報記録用紙に関する。
【０００２】
【従来の技術】
最近、新聞・雑誌等に政財界の著名人についての生い立ちや経歴、趣味等を紹介する「自分史」が掲載されるようになつた。この自分史の編纂に用いられる情報は、（イ）筆者の記憶や古い記録をもとにした誕生時から年代順に纏めた情報、（ロ）学生時代や単身赴任時期等のある一定期間に起きた出来事や事件等を纏めた情報、（ハ）発生した大きな事件や事故、家族や趣味等についての事柄をテーマ毎に纏めた情報がもとになっており、これらの各種情報を新聞・雑誌等の編集者が編集することになる（特許文献１参照）。
【０００３】
【特許文献１】自在に書く自分史
（平成９年２月１日光陰書院発行、発行元：星雲社）
【０００４】
【発明が解決しようとする課題】
ところで、上記各種記録の取り纏めは筆者個人の記憶に依存する要素が大きく、過去を振り返りながら記憶を呼び起こしつつ発生した事件や事故等を文章に記録する作業には多大な労力と根気が要求され、しかも膨大な時間が費やされる結果となっていた。このため、自分史の編纂には多分に苦痛を伴うものとなっていた。
【０００５】
これに対し、過去の古い出来事や事件等でも視覚で捕らえることができる写真等が存在すると、この写真情報を手がかりにして比較的容易に記憶が呼び起こされることがあり、その事件等に関係する事柄の記述作業が容易となる。特に、写真情報と関連したキーワード等が与えられるとこれをヒントにして記憶が蘇り、文章による記述や記録が容易となる。
【０００６】
一方、新聞・雑誌等の読者にとっても、著名人の「自分史」を写真情報を中心として、これに関連する出来事や事件等を年代順あるいはテーマ毎に把握できれば、より一層その著名人に対する興味と理解が深まることになる。特に、近年若者の活字離れが指摘されているが、これらの若者にとっては、視覚に訴える写真情報から著名人の生い立ちや経歴等を身近な存在として知ることができるようになる。
【０００７】
本発明者はかかる課題に着目し、鋭意検討の結果なし得たものであって、写真情報を中心として、自分の生い立ちや経歴、趣味等の個人情報を記録したり、ある一定期間に発生した出来事や事件等を年代順あるいはテーマ毎に纏めて簡単に記録できる情報記録用紙を提供することを目的とする。
【０００８】
【課題を解決するための手段】
本発明の情報記録用紙は、写真等の画像情報を添付あるいは表示する画像情報欄と、前記画像情報と関連する情報の記述を容易にするためのキーワード、アイテム等が記載されたコード欄と、該コード欄に記載されたキーワード、アイテム等に基づいて前記画像情報と関連する出来事や事件等を記述する記述欄が設けられていることを特徴とし、また前記記述欄には、氏名、住所、事件の発生年月日等の確定情報を記録する記載欄が設けられていることを特徴とする。
【０００９】
【発明の実施の形態】
以下、本発明の実施の態様を図面にて詳細に説明する。図１は本発明の一実施例を示すもので、自分史の編纂に用いられる情報記録用紙の平面図、図２はコード欄の記載例を示す平面図、図３はコード欄の他の記載例を示す平面図、図４はコード欄の更に他の記載例を示す平面図である。
【００１０】
情報記録用紙（又はリスト）１の上部には、該用紙１に添付する写真や記述すべき事件等を表す表題２が表示されている。この表題２の一例として、「生まれた時のエピソード」、「自分の趣味について」等の表示があり、表題２の下方には、写真等の画像情報を添付あるいは表示する画像情報欄３と、当該画像情報と関連する事柄の記述を容易にするためのキーワードやアイテム等が記載されたコード欄４と、該コード欄４に記載されたキーワードやアイテム等に基づいて前記画像情報と関連する出来事や事件等を記述するための記述欄５が設けられている。
【００１１】
画像情報欄３には、表題２に関連する写真が貼付あるいは表示される。例えば、生まれた時のエピソードを綴る記録用紙には、誕生時の写真を貼り付ることになる。このとき、変色して不鮮明となった古い写真はデジタル画像に変換して修正し、このデジタル写真を画像情報欄３に添付したり、その当時発生した出来事や事件等を紹介する新聞、雑誌等の切り抜き写真や地図等を添付することもできる。
【００１２】
前記画像情報欄３の下方には、画像情報と関連する出来事や事件等の記述を容易にするためのキーワードやアイテム等が記載されたコード欄４が設けられている。例えば、表題２が「生まれた時のエピソード」であれば、これに関連するキーワードとして、図２に示した如く「１．生年月日と干支は？  ２．生まれた時刻、場所、天気は？……  」等の誕生時の様子について両親や祖父母等から聞かされていたエピソード等を思い出すことができるとともに、そのヒントとなるキーワード等が記載されている。
【００１３】
また、表題２が「自分の趣味について」の記録用紙１には、そのコード欄４に図３に示した如く「１．趣味は何ですか？  ２．いつから始めましたか？……  」等のキーワードが記載されている。これらのキーワードをヒントにして学生時代を振り返り、「趣味は音楽鑑賞で、特にジャズ音楽が好きで、学生時代にはオスカーピーターソンのジャズピアノを聴くため、授業をさぼってジャズ喫茶に入り浸っていた」等と記述することができる。
【００１４】
なお、コード欄４のキーワードやアイテムは、画像情報欄３に貼付した写真情報と関連する出来事や事件等を思い出させて記述を容易にすると共に、筆者に記述のヒントを与えるためのものであるから、これ以外にも表題２の表示と合致した任意のキーワードやアイテムを設定することができる。例えば、前記キーワード等とは別に、年代別や項目別のアイテムを設け、それぞれのアイテムに関係するキーワードを設定することができる。例えば、年代別のアイテムとしては、「幼児期、幼稚園、小学生、中学生……」等があり、これらの年代に関連するキーワードとして、「両親、祖父母、先生、親友、悪友……」を例示することができる。
【００１５】
項目別のアイテムとしては、映画、スポーツ等があり、映画に関するキーワードとして「時代劇、西部劇……」等が例示でき、スポーツに関するキーワードとして「野球、サッカ、相撲、柔道……」等が例示できる。これらのキーワードやアイテム等は必ずしも１枚の情報記録用紙１に取り纏める必要はなく、数が多くなる場合には別用紙に記載してもよい。また、キーワードやアイテム等を適宜選択することによって、この情報記録用紙１を結婚相談所の自己紹介のための用紙としても使用することもできる。
【００１６】
この情報記録用紙を作成するにあたり、筆者は画像情報欄３に表題と関係する写真を貼り付ける。そこで、この貼り付た写真を眺めながら、コード欄に記載されたキーワードやアイテムの中から関心のあるアイテムや興味のあるキーワードを任意に選択し、過去を振り返り、記憶を呼び起こしながら発生した出来事や事件等を文章に記述する。このとき、一つの表題について一枚の記録用紙１に纏める必要はなく、記述すべき事柄が多い場合には複数枚の記録用紙１に亘って記述することができる。このとき、自分や関係者の氏名、住所や、事件の発生年月日等を記録帖や雑誌等で確認しながら確定情報５１に正確に記述することも肝要である。
【００１７】
また、一つの表題については、必ずしも一枚の記録用紙１に纏める必要はない。記述すべき事柄が多い場合には、一つのテーマについて複数枚の記録用紙１に亘って記述することができ、複数のテーマについて一枚の記録用紙１に纏めることもできる。
【００１８】
【発明の効果】
以上詳述した如く、本発明の情報記録用紙は、発生した出来事や事件等を記述する際に、写真等の画像情報を画像情報欄に添付し、この画像情報と関連する興味あるキーワードやアイテムをコード欄から任意に選択し、これをヒントにして出来事や事件等を記載するので、筆者は必要事項を書き落とすことなく、比較的短時間の間に簡単に記述することができる。従って、自分史を自費出版する際にも、本発明の情報記録用紙は好適に使用することができる。
【００１９】
また、筆者自身が写真等の画像情報から自分の生い立ちや経歴を容易に思い起こすことができるため、発生した出来事や事件等の記憶に曖昧さがなくなり、正確に記述することができると共に、その記録用紙の作成時間を大幅に短縮することができる。そして、新聞・雑誌等に自分史を載せる際には、この記録用紙を元にして編集者による編集が簡単に行なえるという利点がある。
【図面の簡単な説明】
【図１】図１は本発明の一実施例を示す自分史の記録に用いる情報記録用紙の平面図である。
【図２】図２はコード欄の記載例を示す平面図である。
【図３】図３はコード欄の他の記載例を示す平面図である。
【図４】図４はコード欄の更に他の記載例を示す平面図である。
【符号の説明】
１    用紙（又はリスト）
２    表題
３    画像情報欄
４    コード欄
５    記述欄
５１    確定情報欄
【図１】
2004358938.tif 000003
【図２】
2004358938.tif 000004
【図３】
2004358938.tif 000005
【図４】
2004358938.tif 000006